(57)【要約】【課題】  消費電力量と、表示画像の良好な視認性の確保との調和を合理的に図ることができる屋外に固定される自立型表示装置を提供する。【解決手段】  太陽光パネルユニット１９０による発電電力が、適宜、蓄電池ユニット１１０に充電され、当該蓄電池ユニット１１０から、表示ユニット及び制御ユニットを含む機能ユニット群１６０（警告灯ユニットを除く）に動作電力が供給される。そして、制御ユニットは、表示ユニット付近の外光の照度を検出する照度検出部による検出結果に応じて、表示ユニットにおける表示画像の視認性を確保する視認性確保制御を行う。【選択図】  図２
2020122839.tif 000002
【特許請求の範囲】
【請求項１】
屋外に固定される表示装置であって、
画像を表示する表示ユニットと；
前記表示ユニットにおける画像表示を制御する制御ユニットと；
発電を行う太陽光パネルユニットと；
前記太陽光パネルユニットから供給された電力を蓄電するとともに、前記表示ユニット及び前記制御ユニットを含む給電対象へ動作電力を供給する蓄電池ユニットと；を備え、
前記制御ユニットは、前記表示ユニット付近の外光の照度を検出する照度検出部を備え、
前記制御ユニットは、前記照度検出部による検出結果に応じて、前記表示ユニットにおける表示画像の視認性を確保する視認性確保制御を行う、
ことを特徴とする表示装置。
【請求項２】
前記表示ユニットは、液晶表示デバイスを備え、
前記制御ユニットは、前記液晶表示デバイスにおける表示輝度を制御することにより、前記視認性確保制御を行う、
ことを特徴とする請求項１に記載の表示装置。
【請求項３】
周辺領域の一部の照明を行うための照明光を射出する照明ユニットを更に備え、
前記蓄電池ユニットは、前記照明ユニットへ動作電力を更に供給し、
前記制御ユニットは、前記照明ユニットによる照明光の射出を制御する、
ことを特徴とする請求項１又は２に記載の表示装置。
【請求項４】
前記表示ユニットにおける表示面の照明を行うための照明光を射出する照明ユニットを更に備え、
前記表示ユニットは、電子ペーパーデバイスを備え、
前記蓄電池ユニットは、前記照明ユニットへ動作電力を更に供給し、
前記制御ユニットは、前記照明ユニットからの照明光の射出を制御することにより、前記視認性確保制御を行う、
ことを特徴とする請求項１に記載の表示装置。
【請求項５】
外部との通信を行う通信ユニットを更に備え、
前記蓄電池ユニットは、前記通信ユニットへ動作電力を更に供給し、
前記制御ユニットは、前記通信ユニットを介して受信した画像データに応じた表示画像を前記表示ユニットに表示させる、
ことを特徴とする請求項１〜４のいずれか一項に記載の表示装置。
【請求項６】
前記蓄電池ユニットは、電池残量情報を出力し、
前記制御ユニットは、前記電池残量情報により示される電池残量が所定値以下となった場合に、少なくとも前記制御ユニットを除いた前記蓄電池ユニットからの給電対象への動作電力の供給を停止させる制御を行う、
ことを特徴とする請求項１〜５のいずれか一項に記載の表示装置。
【請求項７】
前記制御ユニット付近を空冷するための空冷ファンユニットと；を更に備え、
前記蓄電池ユニットは、前記空冷ファンユニットへ動作電力を更に供給し、
前記制御ユニットは、前記制御ユニット付近の温度を計測する温度計測部を備え、
前記制御ユニットは、前記温度計測部による計測結果が第１所定温度を超えた場合に、前記空冷ファンユニットによる空冷動作を開始させる制御を行う、
ことを特徴とする請求項１〜６のいずれか一項に記載の表示装置。
【請求項８】
前記制御ユニットは、前記温度計測部による計測結果が、前記第１所定温度よりも高い第２所定温度を超えた場合に、前記太陽光パネルユニットから前記蓄電池ユニットへの電力供給を更に停止させる制御を行う、ことを特徴とする請求項７に記載の表示装置。
【請求項９】
前記制御ユニットは、第１計時機構を更に備え、
前記制御ユニットは、前記第１計時機構による計時結果に基づいて、予め定められた第１時間帯における少なくとも前記表示ユニットへの動作電力の供給を強制的に停止させる、
ことを特徴とする請求項１〜８のいずれか一項に記載の表示装置。
【請求項１０】
前記制御ユニットは、第２計時機構を更に備え、
前記制御ユニットは、前記第２計時機構による計時結果に基づいて、前記第１時間帯に含まれる予め定められた第２時間帯における前記照明ユニットへの動作電力の供給を強制的に停止させる、
ことを特徴とする請求項９に記載の表示装置。
【請求項１１】
前記給電対象のそれぞれへの前記蓄電池ユニットからの動作電力の供給の有無を、手動により切り替える手動スイッチユニットを更に備える、ことを特徴とする請求項１〜１０のいずれか一項に記載の表示装置。
【請求項１２】
前記蓄電池ユニットからの動作電力の供給経路とは異なる経路を介して動作電力が供給される警告ユニットを更に備え、
前記制御ユニットは、前記電池残量が前記所定値以下となった場合に、前記警告ユニットへの動作電力の供給を行わせる制御を行う、
ことを特徴とする請求項６に記載の表示装置。
【請求項１３】
前記蓄電池ユニットからの動作電力の供給経路とは異なる経路を介して動作電力が供給される警告ユニットを更に備え、
前記制御ユニットは、前記温度計測部による計測結果が前記第２所定温度を超えた場合に、前記警告ユニットへの動作電力の供給を行わせる制御を行う、
ことを特徴とする請求項８に記載の表示装置。
【発明の詳細な説明】
【技術分野】
【０００１】
本発明は、表示装置に係り、より詳しくは、屋外に固定される表示装置に関する。
【背景技術】
【０００２】
近年、太陽光発電技術の発展に伴い、太陽光パネルを備える屋外固定型の表示装置（以下、「自立型表示装置」という）が普及しつつある。かかる表示装置は、太陽光パネルによる発電により、表示装置の動作電力を賄うようになっている。
【０００３】
こうした自立型表示装置に関する技術として、当該自立型表示装置の安定動作のための装置内空間の冷却と、消費電力の節約との両立を図る技術が提案されている（特許文献１：以下、「従来例」と呼ぶ参照）。この従来例の技術では、自立型表示装置の内部温度（特に、制御回路付近の温度）に応じて、空冷用ファンの動作を制御するようになっている。
【０００４】
なお、従来例の技術では、内部温度の上昇の把握のために、制御回路上に温度検出部を設けたり、自立型表示装置の周辺の照度を検出する照度検出部を設けたりすることが提案されている。ここで、照度検出部を設ける理由は、屋外に固定される自立型表示装置では、太陽光の照射による内部温度の上昇が、誤動作を引き起こすおそれがあるからである。
【先行技術文献】
【特許文献】
【０００５】
【特許文献１】特開２０１２−１４１４１４号公報
【発明の概要】
【発明が解決しようとする課題】
【０００６】
ところで、表示装置の表示デバイスとしては同一の表示輝度で画像表示を行っていても、当該表示デバイス付近の外光の照度に応じて、表示画像の視認性が変化する。特に、屋外固定型の自立型表示装置では、表示デバイス付近の外光の照度が、天候、季節等に応じて大きく変化するので、夜間以外の同一時刻であっても表示画像の視認性が変化し得る。視認性の確保のために、高い表示輝度による表示を行うことが考えられるが、かかる態様の表示を画像表示すべき期間中に維持しつづけるためには、大きな消費電力量となってしまう。
【０００７】
このため、屋外に固定される自立型表示装置において、消費電力量と、表示画像の良好な視認性の確保との両立が望まれるが、従来例には、消費電力量と、表示画像の良好な視認性の確保とを両立させる技術については、何等の技術も開示されていない。
【０００８】
本発明は、上記の事情を鑑みてなされたものであり、消費電力量と、表示画像の良好な視認性の確保との調和を合理的に図ることができる屋外に固定される自立型表示装置を提供することを目的とする。
【課題を解決するための手段】
【０００９】
本発明の表示装置は、屋外の固定される表示装置であって、画像を表示する表示ユニットと；前記表示ユニットにおける画像表示を制御する制御ユニットと；発電を行う太陽光パネルユニットと；前記太陽光パネルユニットから供給された電力を蓄電するとともに、前記表示ユニット及び前記制御ユニットを含む給電対象へ動作電力を供給する蓄電池ユニットと；を備え、前記制御ユニットは、前記表示ユニット付近の外光の照度を検出する照度検出部を備え、前記制御ユニットは、前記照度検出部による検出結果に応じて、前記表示ユニットにおける表示画像の視認性を確保する視認性確保制御を行う、ことを特徴とする表示装置である。
【００１０】
この表示装置は、太陽光パネルユニットによる発電により動作電力を賄う自立型表示装置である。そして、太陽光パネルユニットによる発電電力が、適宜、蓄電池ユニットに充電され、当該蓄電池ユニットから、表示ユニット及び制御ユニットを含む機能ユニット群（後述する）に動作電力が供給される。
【００１１】
そして、制御ユニットは、表示ユニット付近の外光の照度を検出する照度検出部による検出結果に応じて、表示ユニットにおける表示画像の視認性を確保する視認性確保制御を行う。ここで、視認性確保制御は、表示画像の視認性の確保しつつ消費電力の節約を極力図る、との観点から行われる。
【００１２】
したがって、本発明の表示装置によれば、消費電力量と、表示画像の良好な視認性の確保との調和を合理的に図ることができる屋外に固定される自立型表示装置を提供することができる。
【００１３】
本発明の表示装置では、前記表示ユニットは、液晶表示デバイスを備え、前記制御ユニットは、前記液晶表示デバイスにおける表示輝度を制御することにより、前記視認性確保制御を行う、構成とすることができる。この場合には、周辺が明るい時間帯には、液晶表示デバイスにおける表示画像の視認性を確保するために表示輝度を高めることが必要になるが、こうした時間帯には、太陽光パネルユニットによる発電量が大きい。このため、周辺が明るい時間帯には、表示輝度を高めた結果、液晶表示デバイスの消費電力量が大きくなっても、液晶表示デバイスへの動作電力の供給を継続させることができる。
【００１４】
一方、周辺が暗い時間帯には、太陽光パネルユニットによる発電量が小さいが、液晶表示デバイスにおける表示画像の視認性を確保するために表示輝度を高める必要が無く、液晶表示デバイスの消費電力量を小さくしても表示輝度の視認性を確保することができる。このため、周辺が暗い時間帯には、太陽光パネルユニットによる発電量が小さくなっても、液晶表示デバイスへの動作電力の供給を継続させることができる。
【００１５】
このため、表示ユニットが液晶表示デバイスを備える構成を採用した場合であっても、消費電力量と、表示画像の良好な視認性の確保との調和を合理的に図ることができる。
【００１６】
また、本発明の表示装置では、周辺領域の一部の照明を行うための照明光を射出する照明ユニットを更に備え、前記蓄電池ユニットは、前記照明ユニットへ動作電力を更に供給し、前記制御ユニットは、前記照明ユニットによる照明光の射出を制御する、構成とすることができる。この場合には、周囲が暗くなった場合に、制御ユニットが、照明ユニットによる照明光を射出させる制御をすることにより、照明ユニットを、周囲が暗くなった場合の外灯として機能させることができる。
【００１７】
また、本発明の表示装置では、前記表示ユニットにおける表示面の照明を行うための照明光を射出する照明ユニットを更に備え、前記表示ユニットは、電子ペーパーデバイスを備え、前記蓄電池ユニットは、前記照明ユニットへ動作電力を更に供給し、前記制御ユニットは、前記照明ユニットからの照明光の射出を制御することにより、前記視認性確保制御を行う、構成とすることができる。この場合には、電子ペーパーデバイスという低消費電力デバイスを利用しつつ、周囲が暗くなったときに電子ペーパーデバイスの表示面に照明ユニットの射出光を照射することにより、表示画像の視認性を確保するようにすることができる。
【００１８】
また、本発明の表示装置では、外部との通信を行う通信ユニットを更に備え、前記蓄電池ユニットは、前記通信ユニットへ動作電力を更に供給し、前記制御ユニットは、前記通信ユニットを介して受信した画像データに応じた表示画像を前記表示ユニットに表示させる、構成とすることができる。この場合には、外部の表示画像管理サーバが指定した表示画像を、表示ユニットに表示させることができる。
【００１９】
また、本発明の表示装置では、前記蓄電池ユニットは、電池残量情報を出力し、前記制御ユニットは、前記電池残量情報により示される電池残量が所定値以下となった場合に、少なくとも前記制御ユニットを除いた前記蓄電池ユニットからの給電対象への動作電力の供給を停止させる制御を行う、構成とすることができる。この場合には、蓄電池ユニットにおける電池残量が所定値以下となったときに、蓄電池ユニットからの給電対象への動作電力の供給量を低減させつつ、太陽光パネルユニットにより発電された電力の蓄電池ユニットへの蓄電を図ることができる。
【００２０】
また、本発明の表示装置では、前記制御ユニット付近を空冷するための空冷ファンユニットと；を更に備え、前記蓄電池ユニットは、前記空冷ファンユニットへ動作電力を更に供給し、前記制御ユニットは、前記制御ユニット付近の温度を計測する温度計測部を備え、前記制御ユニットは、前記温度計測部による計測結果が第１所定温度を超えた場合に、前記空冷ファンユニットによる空冷動作を開始させる制御を行う、構成とすることができる。この場合には、装置内温度の上昇に伴う、制御ユニット等における半導体回路等の誤動作を有効に防止することができる。なお、第１所定温度は、当該半導体回路等が周囲温度の影響で誤動作することはないと考えられるが、しばらく温度上昇が継続すると、当該半導体回路等が周囲温度の影響で誤動作する可能性がでてくると考えられる温度として、当該半導体回路等の動作温度の推奨仕様等に基づいて、予め定められる。
【００２１】
ここで、前記制御ユニットは、前記温度計測部による計測結果が、前記第１所定温度よりも高い第２所定温度を超えた場合に、前記太陽光パネルユニットから前記蓄電池ユニットへの電力供給を更に停止させる制御を行う、構成とすることができる。この場合には、蓄電池ユニットの破壊を有効に防止することができる。なお、第２所定温度は、蓄電池ユニットが備える蓄電池等の動作保障温度の最大値の仕様に基づいて、予め定められる。
【００２２】
また、本発明の表示装置では、前記制御ユニットは、第１計時機構を更に備え、前記制御ユニットは、前記第１計時機構による計時結果に基づいて、予め定められた第１時間帯における少なくとも前記表示ユニットへの動作電力の供給を強制的に停止させる、構成とすることができる。この場合には、例えば、開園時間帯が定まっている公園等に設置される表示装置の場合には、第１時間帯を開園時間帯以外（閉園時間帯）とすることにより、閉園時間帯における少なくとも表示ユニットへの動作電力の供給を強制的に停止させることにより、閉園時間帯における消費電力の節約をすることができる。
【００２３】
ここで、前記制御ユニットは、第２計時機構を更に備え、前記制御ユニットは、前記第２計時機構による計時結果に基づいて、前記第１時間帯に含まれる予め定められた第２時間帯における前記照明ユニットへの動作電力の供給を強制的に停止させる、構成とすることができる。この場合には、例えば、開園時間帯が定まっている公園等に設置される表示装置の場合に、開園時間帯を過ぎても退場のために移動していることが想定される時間帯における来園者の移動の安全や、開園時間帯過ぎに警備員等が巡回する時間帯に警備員等の安全を図ることができるとともに、第２時間帯における消費電力を有効に低減させることができる。
【００２４】
また、本発明の表示装置では、前記給電対象のそれぞれへの前記蓄電池ユニットからの動作電力の供給の有無を、手動により切り替える手動スイッチユニットを更に備える、構成とすることができる。この場合には、点検、保守、交換の対象となった給電対象を個別に、給電対象から外すことができるので、点検、保守、交換の対象の破壊を避けつつ、安全に、点検、保守、交換を行うことができる。
【００２５】
また、本発明の表示装置では、蓄電池ユニットが電池残量情報を出力する構成を採用する場合には、前記蓄電池ユニットからの動作電力の供給経路とは異なる経路を介して動作電力が供給される警告ユニットを更に備え、前記制御ユニットは、前記電池残量が前記所定値以下となった場合に、前記警告ユニットへの動作電力の供給を行わせる制御を行う、構成とすることができる。この場合には、蓄電池ユニットの電池残量が、装置全体としての動作にとって不足している旨の警告を、周囲に提示することができる。
【００２６】
また、本発明の表示装置では、装置内温度が、上述した第２所定温度を超えた否かを判定する構成とした場合には、前記蓄電池ユニットからの動作電力の供給経路とは異なる経路を介して動作電力が供給される警告ユニットを更に備え、前記制御ユニットは、前記温度計測部による計測結果が前記第２所定温度を超えた場合に、前記警告ユニットへの動作電力の供給を行わせる制御を行う、構成とすることができる。この場合には、装置としての誤動作や、装置の構成要素の破損等を防止するために装置として機能を停止している旨の警告を、周囲に提示することができる。
【発明の効果】
【００２７】
以上説明したように、本発明によれば、消費電力量と、表示画像の良好な視認性の確保との調和を合理的に図ることができる屋外に固定される自立型表示装置を提供することができる。
【図面の簡単な説明】
【００２８】
【図１】本発明の一実施形態の表示装置の外観を示す図である。
【図２】図１の本体部の構成をブロック図である。
【図３】図２の機能ユニット郡の構成を示すブロック図である。
【図４】図３の制御ユニットの構成を示すブロック図である。
【図５】図４の第１タイマ部の動作を説明するための図である。
【００２９】
【図６】図４の第２タイマ部の動作を説明するための図である。
【００３０】
【図７】図４の処理制御部によるスイッチ制御信号ＳＷＣ0の生成を説明するための図ある。
【図８】図４の処理制御部によるスイッチ制御信号ＳＷＣ1の生成を説明するための図ある。
【図９】図４の処理制御部によるスイッチ制御信号ＳＷＣ2の生成を説明するための図ある。
【図１０】図４の処理制御部によるスイッチ制御信号ＳＷＣ3の生成を説明するための図ある。
【図１１】図４の処理制御部によるスイッチ制御信号ＳＷＣ4の生成を説明するための図ある。
【図１２】図４の処理制御部によるスイッチ制御信号ＳＷＣ5の生成を説明するための図ある。
【００３１】
【図１３】図４の処理制御部によるスイッチ制御信号ＳＷＣ6の生成を説明するための図ある。
【図１４】図２の充電制御ユニットの構成を示すブロック図である。
【図１５】図２のＲＣスイッチユニットの構成を示すブロック図である。
【図１６】図２の手動スイッチユニットの構成を示すブロック図である。
【図１７】図２の定電圧生成ユニットの構成を示すブロック図である。
【図１８】変形例の表示装置の外観を示す図である。
【発明を実施するための形態】
【００３２】
以下、本発明の一実施形態を、図１〜図１７を参照して説明する。なお、以下の説明及び図面においては、同一又は同等の要素には同一の符号を付し、重複した説明を省略する。
【００３３】
図１には、一実施形態に係る表示装置２００の外観が示されている。ここで、図１（Ａ）は、表示装置２００の外観斜視図であり、図１（Ｂ）は、表示装置２００の外観側面図である。
【００３４】
図１に示されるように、表示装置２００は、本体部１００と、太陽光パネルユニット１９０とを備えている。ここで、本体部１００は、屋外の地上に固定されている。また、太陽光パネルユニット１９０は、本体部１００の上面に固定された支持部材１９１により支持されている。なお、太陽光パネルユニット１９０は、発電に有利なように、受光面が、真南方向を向き、傾斜角が約３０°となるように配設されている。
【００３５】
また、本体部１００の筐体には、表示ユニット１６２及び警告灯ユニット１６７が組み込まれている。ここで、表示ユニット１６２における表示画面、及び、警告灯ユニット１６７による警告表示は、外部から見ることができるようになっている。なお、表示ユニット１６２及び警告灯ユニット１６７は、後述するように、本体部１００の機能ユニット群１６０が備える複数の機能ユニットの一部となっている。
【００３６】
また、表示装置２００は、太陽光パネルユニット１９０の下方端部に固定された支持部材１９２により指示された照明ユニット１６４を備えている。図１（Ｂ）に示されるように、照明ユニット１６４は、点灯動作時には、表示装置２００の前方（表示面側）周辺領域を照明するようになっている。なお、照明ユニット１６４は、後述するように、本体部１００が備える機能ユニット群１６０が備える複数の機能ユニットの一つとなっている。
【００３７】
上記の本体部１００は、図２に示されるように、蓄電池ユニット１１０と、充電制御ユニット１２０と、ＲＣスイッチユニット１３０とを備えている。また、本体部１００は、手動スイッチユニット１４０と、定電圧生成ユニット１５０と、機能ユニット群１６０とを備えている。
【００３８】
ここで、太陽光パネルユニット１９０と充電制御ユニット１２０とは、電源配線ＰＰＷによって接続されている。また、蓄電池ユニット１１０と充電制御ユニット１２０とは、電源配線ＣＰＷによって接続されている。また、充電制御ユニット１２０とＲＣスイッチユニット１３０とは電源配線ＳＰＷによって接続されている。
【００３９】
さらに、ＲＣスイッチユニット１３０と手動スイッチユニット１４０とは、電源配線ＴＰＷ1〜ＴＰＷ6によって接続されている。また、手動スイッチユニット１４０と定電圧生成ユニット１５０とは、電源配線ＭＰＷ1〜ＭＰＷ6によって接続されている。また、定電圧生成ユニット１５０と、機能ユニット群１６０とは、電源配線ＲＰＷ1〜ＲＰＷ6によって接続されている。
【００４０】
上記の蓄電池ユニット１１０は、蓄電池として、例えば、リチウム電池を備えている。蓄電池ユニット１１０と充電制御ユニット１２０とは電源配線ＣＳＷにより接続される。かかる電源配線を介して、蓄電池ユニット１１０は、太陽光パネルユニット１９０により発電された電力ＰＰＷを、電源配線ＰＰＷ、充電制御ユニット１２０及び電源配線ＣＰＷを介して受ける。そして、蓄電池ユニット１１０は、充電制御ユニット１２０から受けた電力を内部に蓄電する。また、蓄電池ユニット１１０は、電源配線ＣＰＷを介して、機能ユニット群１６０が備える機能ユニット（上述した警告灯ユニット１６７を除く）を動作させるための電力を、充電制御ユニット１２０へ向けて出力する。
【００４１】
また、蓄電池ユニット１１０は、電池残量を検出するようになっている。そして、蓄電池ユニット１１０は、電池残量の検出結果を、電池残量情報ＲＣＩとして機能ユニット群１６０へ送るようになっている。
【００４２】
また、機能ユニット群１６０と別電源４００とが、電源配線ＯＰＷにより接続されている。電源配線ＯＰＷを介して、別電源４００から機能ユニット群１６０における警告灯ユニット１６７へ動作電力が供給されるようになっている。また、機能ユニット群１６０は、スイッチ制御信号ＳＷＣ0を充電制御ユニット１２０へ送るとともに、スイッチ制御信号ＳＷＣ1〜ＳＷＣ5をＲＣスイッチユニット１３０へ送るようになっている。
【００４３】
次に、充電制御ユニット１２０、ＲＣスイッチユニット１３０、手動スイッチユニット１４０、定電圧生成ユニット１５０及び機能ユニット群１６０について説明する。
【００４４】
＜機能ユニット群１６０＞
まず、機能ユニット群１６０について説明する。
【００４５】
機能ユニット群１６０は、図３に示されるように、制御ユニット１６１と、表示ユニット１６２と、通信ユニット１６３とを備えている。また、機能ユニット群１６０は、照明ユニット１６４と、空冷ファンユニット１６５と、無線通信サービスユニット１６６とを備えている。さらに、機能ユニット群１６０は、信号による開閉制御が可能なスイッチＣＳＷ6と、警告灯ユニット１６７とを備えている。
【００４６】
上記の制御ユニット１６１は、表示装置２００の動作を制御する。この制御ユニット１６１には、定電圧生成ユニット１５０から電源配線ＲＰＷ1を介して、動作電力が供給されるようになっている。なお、制御ユニット１６１の詳細については、後述する。
【００４７】
上記の表示ユニット１６２は、本実施形態では、液晶表示パネルを備えて構成されている。この表示ユニット１６２には、定電圧生成ユニット１５０から電源配線ＲＰＷ2を介して、動作電力が供給されるようになっている。
【００４８】
表示ユニット１６２は、制御ユニット１６１から送られた表示画像データＩＭＤを受ける。そして、表示ユニット１６２は、当該表示画像データＩＭＤに対応した画像を表示する。
【００４９】
上記の通信ユニット１６３には、定電圧生成ユニット１５０から電源配線ＲＰＷ3を介して、動作電力が供給されるようになっている。この通信ユニット１６３は、制御ユニット１６１による制御の下で、ネットワーク５００と間で通信データＣＭＤの授受を行うことにより、外部の各種装置との間で通信を行う。本実施形態では、これらの各種装置には、表示画像管理サーバが含まれている。
【００５０】
そして、通信ユニット１６３は、通信データＣＭＤに対応する送受信データＳＲＤの授受を制御ユニット１６１との間で行う。なお、当該送受信データＳＲＤにおける制御ユニット１６１にとっての受信データには、表示ユニット１２０に表示されるべき画像データ、タイマ設定データ等が含まれるようになっている。
【００５１】
上記の照明ユニット１６４は、例えば、ＬＥＤライト等の照明デバイスを備えて構成されている。この照明ユニット１６４には、定電圧生成ユニット１５０から電源配線ＲＰＷ4を介して、動作電力が供給されるようになっている。照明ユニット１６４における照明デバイスが点灯すると、上述したように、表示装置２００の前方周辺領域を照明するようになっている（図１（Ｂ）参照）。
【００５２】
上記の空冷ファンユニット１６５は、ファンデバイスを備えて構成されている。この空冷ファンユニット１６５には、定電圧生成ユニット１５０から電源配線ＲＰＷ5を介して、動作電力が供給されるようになっている。空冷ファンユニット１６５のファンデバイスが回転動作を行うと、本体部１００の内部空間と外部空間との間で換気が行われるようになっている。
【００５３】
なお、本体部１００の筐体は、自然空冷のために、下方に給気開口を有し、上方に排気開口を有している。そして、当該筐体の内部における給気開口から排気開口までの空気の流路には、空気が流れるための障害物を極力配設しない構造としている。このため、冷却ファンを動作させなくとも、外気と筐体内空間の空気との換気が効率良く行われ、筐体内空間の温度の上昇が抑制されるようになっている。すなわち、冷却ファンは、当該自然冷却のみでは看過できない温度上昇が発生した場合に、制御ユニット１６１による後述する制御のもとで、強制空冷のために動作するようになっている。
【００５４】
上記の無線通信サービスユニット１６６には、定電圧生成ユニット１５０から電源配線ＲＰＷ6を介して、動作電力が供給されるようになっている。この無線通信サービスユニット１６６は、本実施形態では、表示装置２００の周囲の装置に対して、ＷｉＦｉ通信サービスを提供するようになっている。
【００５５】
上記のスイッチＣＳＷ6の一方の端子には、電源配線ＯＰＷが接続される。また、スイッチＣＳＷ6の他方の端子は、警告灯ユニット１６７に接続される。
【００５６】
スイッチＣＳＷ6は、制御ユニット１６１から送られたスイッチ制御信号ＳＷＣ6を受ける。当該スイッチ制御信号ＳＷＣ6が「ＯＮ」の場合、又は、スイッチ制御信号ＳＷＣ6が無信号状態となった場合には、スイッチＣＳＷ6の一方の端子と他方の端子とが電気的に接続される。この結果、警告灯ユニット１６７に動作電力が供給される。
【００５７】
一方、当該スイッチ制御信号ＳＷＣ6が「ＯＦＦ」の場合には、スイッチＣＳＷ6の一方の端子と他方の端子との間が電気的に非接続となる。この結果、警告灯ユニット１６７には、動作電力が供給されなくなる。
【００５８】
上記の警告灯ユニット１６７は、警告ランプを備えて構成されている。この警告灯ユニット１６７では、スイッチＣＳＷ6を介して動作電力が供給されると、当該警告ランプが点灯する。一方、動作電力が供給されなくなると、当該警告ランプが消灯する。
【００５９】
《制御ユニット１６１》
次に、制御ユニット１６１について説明する。
【００６０】
制御ユニット１６１は、図４に示されるように、照度検出部２１０と、第１タイマ部２２０と、第２タイマ部２３０とを備えている。また、制御ユニット１６１は、温度計測部２４０と、処理制御部２５０とを備えている。
【００６１】
上記の照度検出部２１０は、照度センサを備えて構成されている。照度検出部２１０は、表示ユニット１６２周辺の外光の照度を検出する。照度検出部２１０による検出結果は、照度検出結果ＩＬＭとして処理制御部２５０へ送られる。
【００６２】
上記の第１タイマ部２２０は、プログラマブルタイマ素子を備えて構成されている。この第１タイマ部２２０は、処理制御部２５０から送られたタイマ設定情報ＴＳ１を受ける。そして、第１タイマ部２２０は、当該タイマ設定情報ＴＳ１に応じた計時動作を実行する。かかる計時動作の結果は、計時結果ＴＭ１として、処理制御部２５０へ送られる。
【００６３】
なお、本実施形態では、タイマ設定情報ＴＳ１には、開始時刻ＴＳ１R及び終了時刻ＴＳ１P（＞ＴＳ１R）が含まれている。そして、第１タイマ部２２０は、図５に示されるように、開始時刻ＴＳ１Rとなると、計時結果ＴＭ１として「ＯＮ」の出力を開始した後、終了時刻ＴＳ１Rとなると「ＯＦＦ」の出力を再開するようになっている。
【００６４】
図４に戻り、上記の第２タイマ部２３０は、上述した第１タイマ部２２０と同様に、プログラマブルタイマ素子を備えて構成されている。この第２タイマ部２３０は、処理制御部２５０から送られたタイマ設定情報ＴＳ２を受ける。そして、第２タイマ部２３０は、当該タイマ設定情報ＴＳ２に応じた計時動作を実行する。かかる計時動作の結果は、計時結果ＴＭ２として、処理制御部２５０へ送られる。
【００６５】
なお、本実施形態では、タイマ設定情報ＴＳ２には、開始時刻ＴＳ２R（＝ＴＳ１R）及び終了時刻ＴＳ２P（＞ＴＳ１P）が含まれている。そして、第２タイマ部２３０は、図６に示されるように、開始時刻ＴＳ２Rとなると、計時結果ＴＭ２として「ＯＮ」の出力を開始した後、終了時刻ＴＳ２Pとなると「ＯＦＦ」の出力を再開するようになっている。
【００６６】
図４に戻り、上記の温度計測部２４０は、温度センサを備えて構成されている。温度計測部２４０は、本体部１００の内部温度（すなわち、制御ユニット１６１の周辺温度）を計測する。温度計測部２４０による計測結果は、温度計測結果ＴＭＰとして処理制御部２５０へ送られる。
【００６７】
上記の処理制御部２５０は、中央処理装置（ＣＰＵ：Central Processing Unit）、記憶素子、周辺回路等を備えて構成されている。この処理制御ユニット２５０は、プログラムを実行することにより、様々な機能を果たすための処理を行うになっている。こうした機能には、タイマ設定処理、表示画像データ生成処理及びスイッチ制御信号ＳＷＣ0〜ＳＷＣ6の生成処理が含まれている。
【００６８】
《タイマ設定処理》
ここで、処理制御部２５０が実行するタイマ設定処理について説明する。
【００６９】
処理制御部２５０は、通信ユニット１６３から送られた第１タイマ部２２０用のタイマ設定データを受けると、上述したタイマ設定情報ＴＳ１を生成する。そして、処理制御部２５０は、生成されたタイマ設定情報ＴＳ１を第１タイマ部２２０へ送る。
【００７０】
また、処理制御部２５０は、通信ユニット１６３から送られた第２タイマ部２３０用のタイマ設定データを受けると、上述したタイマ設定情報ＴＳ２を生成する。そして、処理制御部２５０は、生成されたタイマ設定情報ＴＳ２を第２タイマ部２３０へ送る。
【００７１】
《表示画像データ生成処理》
次に、処理制御部２５０が実行する表示画像データ生成処理について説明する。
【００７２】
処理制御部２５０は、通信ユニット１６３から送られた表示ユニット１６２に表示すべき画像に関する画像データを受ける。処理制御部２５０は、照度検出部２１０によって検出されている現時点の照度の環境下において、表示ユニット１６２における表示画像の視認性を十分に確保可能な極力低い表示輝度で、当該画像を反映した表示ユニット１６２に表示させるための表示画像データＩＭＤを生成する。そして、処理制御部２５０は、生成された表示画像データＩＭＤを表示ユニット１６２へ送る。
【００７３】
《スイッチ制御信号ＳＷＣ0〜ＳＷＣ6の生成処理》
次いで、処理制御部２５０が実行するスイッチ制御信号ＳＷＣ0〜ＳＷＣ6の生成処理について説明する。
【００７４】
（スイッチ制御信号ＳＷＣ0の生成処理）
まず、スイッチ制御信号ＳＷＣ0の生成処理について説明する。処理制御部２５０は、温度計測部２４０から送られた温度計測結果ＴＭＰに基づいて、スイッチ制御信号ＳＷＣ0の生成処理を行う。
【００７５】
スイッチ制御信号ＳＷＣ0の生成処理に際しては、図７に示されるように、温度計測結果ＴＭＰが、温度ＴＭＰ21以下の温度から上昇して温度ＴＭＰ22を超えると、処理制御部２５０は、スイッチ制御信号ＳＷＣ0を「ＯＮ」から「ＯＦＦ」に変化させる。この後、温度計測結果ＴＭＰが、温度ＴＭＰ21以下の温度まで下降すると、処理制御部２５０は、スイッチ制御信号ＳＷＣ0を「ＯＦＦ」から「ＯＮ」に変化させる。こうして生成されたスイッチ制御信号ＳＷＣ0は、充電制御ユニット１２０へ送られる。
【００７６】
なお、温度ＴＭＰ21及び温度ＴＭＰ22は、装置内温度の上昇による蓄電池ユニット１１０の破壊の回避、及び、スイッチ制御信号ＳＷＣ0の値の頻繁な切換りの防止の観点から、蓄電池ユニット１１０の動作温度仕様に基づく実験、シミュレーション、経験等に基づいて、予め定められる。
【００７７】
（スイッチ制御信号ＳＷＣ1の生成処理）
次に、スイッチ制御信号ＳＷＣ1の生成処理について説明する。処理制御部２５０は、蓄電池ユニット１１０から送られた電池残量情報ＲＣＩに基づいて、スイッチ制御信号ＳＷＣ1の生成処理を行う。
【００７８】
スイッチ制御信号ＳＷＣ1の生成処理に際しては、図８に示されるように、電池残量情報ＲＣＩが、電池残量ＲＣ1以下から増加して電池残量ＲＣ2（＞ＲＣ1）を超えると、処理制御部２５０は、電池残量の不足状態ではないと判断して、スイッチ制御信号ＳＷＣ1を「ＯＦＦ」から「ＯＮ」に変化させる。この後、電池残量情報ＲＣＩが、電池残量ＲＣ1以下まで下降すると、処理制御部２５０は、電池残量の不足状態であると判断して、スイッチ制御信号ＳＷＣ1を「ＯＮ」から「ＯＦＦ」に変化させる。こうして生成されたスイッチ制御信号ＳＷＣ1は、ＲＣスイッチユニット１３０へ送られる。
【００７９】
なお、電池残量ＲＣ1及び電池残量ＲＣ2は、機能ユニット群１６０（警告灯ユニット１６７を除く）の継続的な動作の確保、及び、スイッチ制御信号ＳＷＣ1の値の頻繁な切換りの防止の観点から、実験、シミュレーション、経験等に基づいて、予め定められる。
【００８０】
（スイッチ制御信号ＳＷＣ2の生成処理）
次いで、スイッチ制御信号ＳＷＣ2の生成処理について説明する。処理制御部２５０は、第１タイマ部２２０から送られた計時結果ＴＭ１に基づいて、スイッチ制御信号ＳＷＣ2の生成処理を行う。
【００８１】
スイッチ制御信号ＳＷＣ2の生成処理に際しては、図９に示されるように、計時結果ＴＭ１が「ＯＦＦ」から「ＯＮ」に変化すると、処理制御部２５０は、スイッチ制御信号ＳＷＣ2を「ＯＦＦ」から「ＯＮ」に変化させる。また、計時結果ＴＭ１が「ＯＮ」から「ＯＦＦ」に変化すると、処理制御部２５０は、スイッチ制御信号ＳＷＣ2を「ＯＮ」から「ＯＦＦ」に変化させる。こうして生成されたスイッチ制御信号ＳＷＣ2は、ＲＣスイッチユニット１３０へ送られる。
【００８２】
（スイッチ制御信号ＳＷＣ3の生成処理）
次に、スイッチ制御信号ＳＷＣ3の生成処理について説明する。処理制御部２５０は、第２タイマ部２３０から送られた計時結果ＴＭ２に基づいて、スイッチ制御信号ＳＷＣ3の生成処理を行う。
【００８３】
スイッチ制御信号ＳＷＣ3の生成処理に際しては、図１０に示されるように、計時結果ＴＭ２が「ＯＦＦ」から「ＯＮ」に変化すると、処理制御部２５０は、スイッチ制御信号ＳＷＣ3を「ＯＦＦ」から「ＯＮ」に変化させる。また、計時結果ＴＭ２が「ＯＮ」から「ＯＦＦ」に変化すると、処理制御部２５０は、スイッチ制御信号ＳＷＣ3を「ＯＮ」から「ＯＦＦ」に変化させる。こうして生成されたスイッチ制御信号ＳＷＣ3は、ＲＣスイッチユニット１３０へ送られる。
【００８４】
（スイッチ制御信号ＳＷＣ4の生成処理）
次に、スイッチ制御信号ＳＷＣ4の生成処理について説明する。処理制御部２５０は、照度検出部２１０から送られた照度検出結果ＩＬＭに基づいて、スイッチ制御信号ＳＷＣ4の生成処理を行う。
【００８５】
スイッチ制御信号ＳＷＣ4の生成処理に際しては、図１１に示されるように、照度検出結果ＩＬＭが、照度ＩＬＭ1以下から増加して照度ＩＬＭ2（＞ＩＬＭ1）を超えると、処理制御部２５０は、スイッチ制御信号ＳＷＣ4を「ＯＮ」から「ＯＦＦ」に変化させる。この後、照度検出結果ＩＬＭが、照度ＩＬＭ1以下まで下降すると、処理制御部２５０は、スイッチ制御信号ＳＷＣ4を「ＯＦＦ」から「ＯＮ」に変化させる。こうして生成されたスイッチ制御信号ＳＷＣ4は、ＲＣスイッチユニット１３０へ送られる。
【００８６】
なお、照度ＩＬＭ1及び照度ＩＬＭ2は、照明の必要性、及び、スイッチ制御信号ＳＷＣ4の値の頻繁な切換りの防止の観点から、実験、シミュレーション、経験等に基づいて、予め定められる。
【００８７】
（スイッチ制御信号ＳＷＣ5の生成処理）
次に、スイッチ制御信号ＳＷＣ5の生成処理について説明する。処理制御部２５０は、温度計測部２４０から送られた温度計測結果ＴＭＰに基づいて、スイッチ制御信号ＳＷＣ5の生成処理を行う。
【００８８】
スイッチ制御信号ＳＷＣ5の生成処理に際しては、図１２に示されるように、温度計測結果ＴＭＰが、温度ＴＭＰ11以下から上昇して温度ＴＭＰ12（＜ＴＭＰ21）を超えると、処理制御部２５０は、スイッチ制御信号ＳＷＣ5を「ＯＦＦ」から「ＯＮ」に変化させる。このため、上述したスイッチ制御信号ＳＷＣ0の「ＯＮ」から「ＯＦＦ」への変化に先立って、スイッチ制御信号ＳＷＣ5が「ＯＦＦ」から「ＯＮ」に変化するようになっている。
【００８９】
この後、温度計測結果ＴＭＰが、温度ＴＭＰ11以下まで下降すると、処理制御部２５０は、スイッチ制御信号ＳＷＣ5を「ＯＮ」から「ＯＦＦ」に変化させる。この結果、スイッチ制御信号ＳＷＣ0が「ＯＮ」となった後には、スイッチ制御信号ＳＷＣ0が「ＯＦＦ」から「ＯＮ」に変化した後に、スイッチ制御信号ＳＷＣ5を「ＯＮ」から「ＯＦＦ」に変化するようになっている。
【００９０】
こうして生成されたスイッチ制御信号ＳＷＣ5は、ＲＣスイッチユニット１３０へ送られる。
【００９１】
なお、温度ＴＭＰ11及び温度ＴＭＰ12は、装置内温度の上昇による装置内の半導体回路の安定的な動作の確保、及び、スイッチ制御信号ＳＷＣ5の値の頻繁な切換りの防止の観点から、使用されている素子の動作温度仕様に基づく実験、シミュレーション、経験等に基づいて、予め定められる。
【００９２】
（スイッチ制御信号ＳＷＣ6の生成処理）
次いで、スイッチ制御信号ＳＷＣ6の生成処理について説明する。処理制御部２５０は、温度計測部２４０から送られた温度計測結果ＴＭＰ、及び、蓄電池ユニット１１０から送られた電池残量情報ＲＣＩに基づいて、スイッチ制御信号ＳＷＣ6の生成処理を行う。
【００９３】
スイッチ制御信号ＳＷＣ6の生成処理に際しては、図１３（Ａ）に示されるように、温度計測結果ＴＭＰが、温度ＴＭＰ21以下の温度から上昇して温度ＴＭＰ22を超えると、処理制御部２５０は、スイッチ制御信号ＳＷＣ6を「ＯＦＦ」から「ＯＮ」に変化させる。この後、温度計測結果ＴＭＰが、温度ＴＭＰ21以下まで下降すると、処理制御部２５０は、スイッチ制御信号ＳＷＣ6を「ＯＮ」から「ＯＦＦ」に変化させる。
【００９４】
また、図１３（Ｂ）に示されるように、電池残量情報ＲＣＩが、電池残量ＲＣ1以下から増加して電池残量ＲＣＩ2を超えると、処理制御部２５０は、スイッチ制御信号ＳＷＣ6を「ＯＮ」から「ＯＦＦ」に変化させる。この後、電池残量情報ＲＣＩが、電池残量ＲＣ1以下まで下降すると、処理制御部２５０は、スイッチ制御信号ＳＷＣ6を「ＯＦＦ」から「ＯＮ」に変化させる。こうして生成されたスイッチ制御信号ＳＷＣ6は、スイッチＣＳＷ6へ送られる。
【００９５】
かかるスイッチ制御信号ＳＷＣ6によるスイッチＣＳＷ6の開閉制御により、本体部１００内の温度の異常な上昇、又は、電池残量の想定外の低減が発生すると、警告灯ユニット１６７の警告ランプが点灯し、警告報知が行われるようになっている。
【００９６】
＜充電制御ユニット１２０＞
次に、上記の充電制御ユニット１２０について説明する。
【００９７】
充電制御ユニット１２０は、図１４に示されるように、充電コントローラ１２１と、ツェナーダイオードＺＤと、信号制御可能なスイッチＣＳＷ0とを備えている。また、充電制御ユニット１２０は、フューズＦＳ１，ＦＳ２を備えている。
【００９８】
充電制御ユニット１２０では、フューズＦＳ１の一方の端子が、電源配線ＰＰＷを介して、太陽光パネルユニット１９０と接続されている。当該電源配線ＰＰＷを介して、フューズＦＳ１の一方の端子が、太陽光パネルユニット１９０による発電電力を受ける。また、フューズＦＳ１の他方の端子が、充電コントローラ１２１の充電電力入力端子、及び、ツェナーダイオードＺＤの一方の端子に接続されている。そして、ツェナーダイオードＺＤの他方の端子は接地されている。
【００９９】
ここで、ツェナーダイオードＺＤは、充電コントローラ１２１に供給される電力電圧を充電コントローラ１２１にとっての許容電圧以下とする機能を果たす。そして、フューズＦＳ１は、太陽光パネル１９０から充電コントローラ１２１へ流れる電流量が過大となった場合に破断し、電流を遮断する機能を果たす。すなわち、フューズＦＳ１及びツェナーダイオードＺＤは協働して、後段の回路の破損を回避する機能を果たすようになっている。
【０１００】
また、充電制御ユニット１２０では、充電コントローラ１２１の充電電力出力端子が、信号制御可能なスイッチＣＳＷ0の一方の端子に接続されるとともに、スイッチＣＳＷ0の他方の端子が、電源配線ＣＰＷを介して、蓄電池ユニット１１０に接続されるとともに、フューズＦＳ２の一方の端子に接続されている。なお、充電コントローラ１２１は、蓄電池ユニット１１０への過充電、蓄電池ユニット１１０から太陽光パネルユニット１９０への電流の逆流を防止する。また、フューズＦＳ２の他方の端子から、電源配線ＳＰＷを介して、動作電力がＲＣスイッチユニット１３０へ送られるようになっている。
【０１０１】
ここで、スイッチＣＳＷ0は、制御ユニット１６１から送られたスイッチ制御信号ＳＷＣ0を受ける。当該スイッチ制御信号ＳＷＣ0が「ＯＮ」の場合（すなわち、本体部１００の内部における温度の異常上昇が発生していない場合）には、スイッチＣＳＷ0の一方の端子と他方の端子とが電気的に接続される。この結果、充電コントローラ１２１の充電電力出力端子が、蓄電池ユニット１１０に接続され、蓄電池ユニット１１０への充電が可能となる。
【０１０２】
一方、当該スイッチ制御信号ＳＷＣ0が「ＯＦＦ」の場合（すなわち、本体部１００の内部における温度の異常上昇が発生している場合）には、スイッチＣＳＷ0の一方の端子と他方の端子との間が電気的に非接続となる。この結果、本体部１００の内部における温度の異常上昇による蓄電池ユニット１１０の破壊が回避される。
【０１０３】
また、フューズＦＳ２を介して、蓄電池ユニット１１０から出力される動作電力が、出電源配線ＳＰＷを利用してＲＣスイッチユニット１３０へ送られるが、フューズＦＳ２は、充電制御ユニット１２０からＲＣスイッチユニット１３０へ流れる電流量が、何らかの不具合により過大となった場合に破断し、電流を遮断する機能を果たすようになっている。かかるフューズＦＳ２の破断が発生すると、上述した機能ユニット群１６０における制御ユニット１６１への動作電力の供給が停止するため、制御ユニット１６１が出力する上述のスイッチ制御信号ＳＷＣ6が無信号状態となる。この結果、警告灯ユニット１６７の警告ランプが点灯し、警告報知が行われる。
【０１０４】
＜ＲＣスイッチユニット１３０＞
次に、上記のＲＣスイッチユニット１３０について説明する。
【０１０５】
ＲＣスイッチユニット１３０は、図１５に示されるように、信号制御が可能なスイッチＣＳＷ1，ＣＳＷ21，ＣＳＷ22，ＣＳＷ23を備えている。また、充電制御ユニット１２０は、ＣＳＷ3，ＣＳＷ4，ＣＳＷ5を備えている。
【０１０６】
ＲＣスイッチユニット１３０では、電源配線ＳＰＷが、電源配線ＴＰＷ1に直接的に接続されている。かかる電源配線ＴＰＷ1を介して供給される電力が、上述した制御ユニット１６１用の動作電力として、後段の要素に供給される。
【０１０７】
また、ＲＣスイッチユニット１３０では、電源配線ＳＰＷが、スイッチＣＳＷ1の一方の端子に接続されている。そして、スイッチＣＳＷ1の他方の端子が、スイッチＣＳＷ21，ＣＳＷ22，ＣＳＷ23，ＣＳＷ3，ＣＳＷ5の一方の端子に接続されている。
【０１０８】
スイッチＣＳＷ1は、制御ユニット１６１から送られた上述のスイッチ制御信号ＳＷＣ1を受ける。そして、スイッチ制御信号ＳＷＣ1が「ＯＮ」の場合（すなわち、電池残量の不足状態ではない場合）には、スイッチＣＳＷ1の一方の端子と他方の端子とが電気的に接続される。一方、スイッチ制御信号ＳＷＣ1が「ＯＦＦ」の場合（すなわち、電池残量の不足状態である場合）には、スイッチＣＳＷ1の一方の端子と他方の端子とが電気的に接続される。
【０１０９】
この結果、電池残量の不足状態ではない場合には、スイッチＣＳＷ21，ＣＳＷ22，ＣＳＷ23，ＣＳＷ3，ＣＳＷ5に動作電力が送られる。一方、電池残量の不足状態ではない場合には、スイッチＣＳＷ21，ＣＳＷ22，ＣＳＷ23，ＣＳＷ3，ＣＳＷ5に動作電力が送られない。
【０１１０】
なお、スイッチ制御信号ＳＷＣ1を生成する制御ユニット１６１のための動作電力の供給は、電池残量が不足であるか否かに関わらず、上述したように、電源配線ＴＰＷ1を介して手動スイッチユニット１４０へ送られるようになっている。
【０１１１】
スイッチＣＳＷ21の他方の端子は、電源配線ＴＰＷ2に接続されている。このスイッチＣＳＷ21は、制御ユニット１６１から送られた上述のスイッチ制御信号ＳＷＣ2を受ける。そして、スイッチ制御信号ＳＷＣ2が「ＯＮ」である時間帯（第１時間帯以外）の場合には、スイッチＣＳＷ21の一方の端子と他方の端子とが電気的に接続される。一方、スイッチ制御信号ＳＷＣ2が「ＯＦＦ」である時間帯（第１時間帯：例えば、開園時間帯が定まっている公園等の場合には閉園時間帯）の場合には、スイッチＣＳＷ21の一方の端子と他方の端子とが電気的に非接続となる。
【０１１２】
この結果、電池残量の不足状態ではなく、かつ、第１時間帯以外には、表示ユニット１６２のための動作電力が、電源配線ＴＰＷ2を介して手動スイッチユニット１４０へ送られるようになっている。
【０１１３】
スイッチＣＳＷ22の他方の端子は、電源配線ＴＰＷ3に接続されている。このスイッチＣＳＷ22は、制御ユニット１６１から送られた上述のスイッチ制御信号ＳＷＣ2を受ける。そして、スイッチ制御信号ＳＷＣ2が「ＯＮ」の場合には、スイッチＣＳＷ22の一方の端子と他方の端子とが電気的に接続される。一方、スイッチ制御信号ＳＷＣ2が「ＯＦＦ」の場合には、スイッチＣＳＷ22の一方の端子と他方の端子とが電気的に非接続となる。
【０１１４】
この結果、電池残量の不足状態ではなく、かつ、第１時間帯以外には、通信ユニット１６３のための動作電力が、電源配線ＴＰＷ3を介して手動スイッチユニット１４０へ送られるようになっている。
【０１１５】
スイッチＣＳＷ23の他方の端子は、電源配線ＴＰＷ6に接続されている。このスイッチＣＳＷ23は、制御ユニット１６１から送られたスイッチ制御信号ＳＷＣ2を受ける。そして、スイッチ制御信号ＳＷＣ2が「ＯＮ」の場合には、スイッチＣＳＷ23の一方の端子と他方の端子とが電気的に接続される。一方、スイッチ制御信号ＳＷＣ2が「ＯＦＦ」の場合には、スイッチＣＳＷ23の一方の端子と他方の端子とが電気的に非接続となる。
【０１１６】
この結果、電池残量の不足状態ではなく、かつ、第１時間帯以外には、無線通信サービスユニット１６６のための動作電力が、電源配線ＴＰＷ6を介して手動スイッチユニット１４０へ送られるようになっている。
【０１１７】
スイッチＣＳＷ3の他方の端子は、スイッチＣＳＷ4の一方の端子に接続されている。このスイッチＣＳＷ3は、制御ユニット１６１から送られたスイッチ制御信号ＳＷＣ3を受ける。そして、スイッチ制御信号ＳＷＣ3が「ＯＮ」である時間帯（第２時間帯以外）の場合（例えば、開園開始時刻から、閉園時刻後の所定期間の経過後までの第２期間中の場合）には、スイッチＣＳＷ3の一方の端子と他方の端子とが電気的に接続される。一方、スイッチ制御信号ＳＷＣ3が「ＯＦＦ」である時間帯（第２時間帯：例えば、開園時間帯が定まっている公園等の場合には、開園開始時刻から、閉園開始時刻から所定時間が経過するまでの時間帯）の場合には、スイッチＣＳＷ3の一方の端子と他方の端子とが電気的に非接続となる。
【０１１８】
この結果、電池残量の不足状態ではなく、かつ、第２時間帯以外には、照明ユニット１６４のための動作電力が、スイッチＣＳＷ4へ送られるようになっている。
【０１１９】
スイッチＣＳＷ4の他方の端子は、電源配線ＴＰＷ4に接続されている。このスイッチＣＳＷ4は、制御ユニット１６１から送られたスイッチ制御信号ＳＷＣ4を受ける。そして、スイッチ制御信号ＳＷＣ4が「ＯＮ」の場合（照明ユニット１６４による照明が必要な照度の場合）には、スイッチＣＳＷ4の一方の端子と他方の端子とが電気的に接続される。一方、スイッチ制御信号ＳＷＣ4が「ＯＦＦ」の場合（照明ユニット１６４による照明が必要ない照度の場合）には、スイッチＣＳＷ4の一方の端子と他方の端子とが電気的に非接続となる。
【０１２０】
この結果、電池残量の不足状態ではなく、第２時間帯以外であり、照明ユニット１６４による照明が必要な場合には、照明ユニット１６４のための動作電力が、電源配線ＴＰＷ4を介して手動スイッチユニット１４０へ送られるようになっている。
【０１２１】
スイッチＣＳＷ5の他方の端子は、電源配線ＴＰＷ5に接続されている。このスイッチＣＳＷ5は、制御ユニット１６１から送られたスイッチ制御信号ＳＷＣ5を受ける。そして、スイッチ制御信号ＳＷＣ5が「ＯＮ」の場合（空冷が必要な場合）には、スイッチＣＳＷ5の一方の端子と他方の端子とが電気的に接続される。一方、スイッチ制御信号ＳＷＣ5が「ＯＦＦ」の場合（空冷が必要ない場合）には、スイッチＣＳＷ45の一方の端子と他方の端子とが電気的に非接続となる。
【０１２２】
この結果、電池残量の不足状態ではなく、空冷が必要な場合には、空冷ファンユニット１６５のための動作電力が、電源配線ＴＰＷ5を介して手動スイッチユニット１４０へ送られるようになっている。
【０１２３】
＜手動スイッチユニット１４０＞
次に、上記の手動スイッチユニット１４０について説明する。
【０１２４】
手動スイッチユニット１４０は、図１６に示されるように、手動スイッチＭＳＷ1〜ＭＳＷ6を備えている。手動スイッチＭＳＷj（ｊ＝１〜６）の一方の端子は、電源配線ＴＰＷjと接続されている。また、手動スイッチＭＳＷj（ｊ＝１〜６）の他方の端子は、電源配線ＭＰＷjと接続されている。
【０１２５】
手動スイッチＭＳＷjが手動により「ＯＮ」とされると、一方の端子と他方の端子とが電気的に接続される。一方、手動スイッチＭＳＷjが手動により「ＯＦＦ」とされると、一方の端子と他方の端子とが電気的に非接続となる。
【０１２６】
この結果、手動スイッチＭＳＷjが手動により「ＯＮ」とされた場合に、ＲＣスイッチユニット１３０から電源配線ＴＰＷjを介して供給された動作電力が、電源配線ＭＰＷjを介して、定電圧生成ユニット１５０へ供給される。
【０１２７】
＜定電圧生成ユニット１５０＞
次に、上記の定電圧生成ユニット１５０について説明する。
【０１２８】
定電圧生成ユニット１５０は、図１７に示されるように、定電圧生成部１５１1〜１５１4，１５１6を備えている。本実施形態では、定電圧生成部１５１k（ｋ＝１〜４，６）は、１以上のＤＣ−ＤＣ変換素子を備えている。
【０１２９】
定電圧生成部１５１kは、手動スイッチユニット１４０から電源配線ＭＰＷkを介して供給された動作電力を受ける。そして、定電圧生成部１５１kは、対応する機能ユニットの動作にとって適切な電圧に変換したうえで、電源配線ＲＰＷkを介して、当該対応する機能ユニットへ動作電力として供給する。
【０１３０】
ここで、定電圧生成部１５１1は、制御ユニット１６１の動作にとって適切な電圧に変換したうえで、電源配線ＲＰＷ1を介して、制御ユニット１６１へ動作電力を供給する。また、定電圧生成部１５１2は、照明ユニット１６２の動作にとって適切な電圧に変換したうえで、電源配線ＲＰＷ2を介して、照明ユニット１６２へ動作電力を供給する。また、定電圧生成部１５１3は、通信ユニット１６３の動作にとって適切な電圧に変換したうえで、電源配線ＲＰＷ3を介して、通信ユニット１６３へ動作電力を供給する（図３参照）。
【０１３１】
さらに、定電圧生成部１５１4は、照明ユニット１６４の動作にとって適切な電圧に変換したうえで、電源配線ＲＰＷ4を介して、照明ユニット１６４へ動作電力を供給する。また、定電圧生成部１５１6は、無線通信サービスユニット１６６の動作にとって適切な電圧に変換したうえで、電源配線ＲＰＷ6を介して、無線通信サービスユニット１６６へ動作電力を供給する（図３参照）。
【０１３２】
なお、本実施形態では、手動スイッチユニット１４０から電源配線ＭＰＷ5を介して供給された動作電力については、そのまま電源配線ＲＰＷ5を介して、冷却ファンユニット１６５に供給するようにしている。これは、電源配線ＭＰＷ5を介して供給された動作電力の電圧範囲が、冷却ファンユニット１６５の動作にとって許容可能な電圧範囲に収まっているからである。
【０１３３】
こうして定電圧生成ユニット１５０から電源配線ＲＰＷjを介して電力供給を受けた機能ユニット１６１〜１６６は、上述した動作を実行する。
【０１３４】
以上説明した本実施形態の表示装置２００では、太陽光パネルユニット１９０による発電電力が、適宜、蓄電池ユニット１１０に充電され、当該蓄電池ユニット１１０から、表示ユニット１６２及び制御ユニット１６１を含む機能ユニット群１６０（警告灯ユニット１６７を除く）に動作電力が供給される。
【０１３５】
そして、制御ユニット１６１は、表示ユニット１２０付近の外光の照度を検出する照度検出部２１０による検出結果に応じて、表示ユニット１２０における表示画像の視認性を確保する視認性確保制御を行う。ここで、視認性確保制御は、表示画像の視認性の確保しつつ消費電力の節約を極力図る、との観点から行われる。
【０１３６】
したがって、本実施形態によれば、消費電力量と、表示画像の良好な視認性の確保との調和を合理的に図ることができる屋外に固定される自立型表示装置を提供することができる。
【０１３７】
また、本実施形態では、制御ユニット１６１が、外部との通信を行う通信ユニット１６３を介して受信した画像データに応じた表示画像を表示ユニット１６２に表示させる。このため、外部の表示画像管理サーバが指定した表示画像を、表示ユニット１６２に表示させることができる。
【０１３８】
また、本実施形態では、蓄電池ユニット１１０から出力された電池残量情報ＲＣＩにより示される電池残量が所定値以下となった場合に、制御ユニット１６１が、機能ユニット１６２〜１６６への動作電力の供給を停止させる制御を行う。このため、蓄電池ユニット１１０における電池残量が所定値以下となったときに、蓄電池ユニット１１０からの給電対象への動作電力の供給量を低減させつつ、太陽光パネルユニット１９０により発電された電力の蓄電池ユニット１１０への蓄電を図ることができる。
【０１３９】
また、本実施形態では、温度計測部２４０により計測された制御ユニット１６１付近の温度が温度ＴＭＰ12を超えた場合に、制御ユニット１６１が、空冷ファンユニット１６５による空冷動作を開始させる制御を行う。このため、装置内温度の上昇に伴う、制御ユニット１６１等における半導体回路等の誤動作を有効に防止することができる。
【０１４０】
また、本実施形態では、温度計測部２４０により計測された温度が温度ＴＭＰ12を超えた場合に、制御ユニット１６１が、太陽光パネルユニット１９０から蓄電池ユニット１１０への電力供給を停止させる制御を行う。このため、蓄電池ユニットの破壊を有効に防止することができる。
【０１４１】
また、本実施形態では、第１タイマ部２２０の計時結果に基づいて、制御ユニット１６１が、第１時間帯（時刻ＴＳ１Pから翌日の時刻ＴＳ１Rまでの時間帯）における機能ユニット１６２，１６３，１６５，１６６への動作電力の供給を強制的に停止させる。このため、例えば、開園時間帯が定まっている公園等に設置される表示装置の場合には、第１時間帯を閉園時間帯とすることにより、閉園時間帯における消費電力の節約をすることができる。
【０１４２】
また、本実施形態では、第２タイマ部２２０の計時結果に基づいて、制御ユニット１６１が、第２時間帯（時刻ＴＳ２Pから翌日の時刻ＴＳ２Rまでの時間帯）における照明ユニット１６４への動作電力の供給を強制的に停止させる。このため、例えば、開園時間帯が定まっている公園等に設置される表示装置の場合に、開園時間帯を過ぎても退場のために移動していることが想定される時間帯にも、照明ユニット１６４を利用できるようにすることができる。したがって、開園時間帯を過ぎても退場のために移動していることが想定される時間帯における来園者の移動の安全や、開園時間帯過ぎに警備員等が巡回する時間帯における警備員等の安全を図ることができるとともに、消費電力を有効に低減させることができる。
【０１４３】
また、本実施形態では、手動スイッチユニット１４０を利用して、機能ユニット１６１〜１６６のそれぞれへの動作電力の供給の有無を、手動により切り替える。このため、点検、保守、交換の対象の破壊を避けつつ、安全に、点検、保守、交換を行うことができる。
【０１４４】
また、本実施形態では、電池残量が少なくなった場合、及び、温度計測部２４０により計測された温度が温度ＴＭＰ12を超えた場合の双方で、制御ユニット１６１が、他電源ユニット４００から動作電力を警告灯ユニット１６７へ供給させて、警告灯ランプを点灯させる。このため、合理的要因に基づく警告を周囲に提示することができる。
【０１４５】
［実施形態の変形］
本発明は、上記の実施形態に限定されるものではなく、様々な変形が可能である。
【０１４６】
例えば、上記の実施形態では、表示ユニットによる表示画像により情報提示を行うようにしたが、音出力ユニットによる出力音声による情報提示を併せて行うようにしてもよい。
【０１４７】
また、上記の実施形態では、警告ランプの点灯により警告を提示するようにしたが、音声による警告の提示を行うようにしてもよい。
【０１４８】
また、上記の実施形態では、液晶表示デバイスを備える表示ユニットを採用した表示装置としたが、図１８に示されるように、液晶表示デバイスに代えて電子ペーパーデバイスを備える表示ユニット１６２Ｂを採用した表示装置２００Ｂとしてもよい。この場合には、照明ユニット１６４による照明光の照射領域に表示ユニット１６２Ｂにおける表示領域が含まれるようにする。そして、周囲が暗くなったときに電子ペーパーデバイスの表示面に照射ユニットの射出光を照射することにより、表示画像の視認性を確保するようにする。
【０１４９】
また、上記の実施形態では、照度検出部が、表示ユニット周辺の外光の照度を検出する照度センサを備えて構成されるようにした。これに対し、照度検出部が、照度センサに代えて、電力検出部を備える構成とし、表示ユニット周辺と同等の外光の照度となる太陽光パネルユニットの受光面における外光の照度によって変化する太陽光パネルユニットの出力電力（出力電圧及び／又は出力電流）を検出するようにしてもよい。
【産業上の利用可能性】
【０１５０】
本発明は、屋外に固定される自立型表示装置の技術分野において有用である。
【符号の説明】
【０１５１】
１１０            …  蓄電池ユニット
１４０            …  手動スイッチユニット
１６１            …  制御ユニット
１６２，１６２Ｂ  …  表示ユニット
１６３            …  通信ユニット
１６４            …  照明ユニット
１６５            …  空冷ファンユニット
１６７            …  警告灯ユニット（警告ユニット）
１９０            …  太陽光パネルユニット
２００，２００Ｂ  …  表示装置
２１０            …  照度検出部
２２０            …  第１タイマ部（第１計時機構）
２３０            …  第２タイマ部（第２計時機構）
２４０            …  温度計測部
【図１】
2020122839.tif 000003
【図２】
2020122839.tif 000004
【図３】
2020122839.tif 000005
【図４】
2020122839.tif 000006
【図５】
2020122839.tif 000007
【図６】
2020122839.tif 000008
【図７】
2020122839.tif 000009
【図８】
2020122839.tif 000010
【図９】
2020122839.tif 000011
【図１０】
2020122839.tif 000012
【図１１】
2020122839.tif 000013
【図１２】
2020122839.tif 000014
【図１３】
2020122839.tif 000015
【図１４】
2020122839.tif 000016
【図１５】
2020122839.tif 000017
【図１６】
2020122839.tif 000018
【図１７】
2020122839.tif 000019
【図１８】
2020122839.tif 000020